(57)【要約】【課題】飼い主が安心してペットを入れて待たせておくことができる、ペット用小屋を提供することを目的とする。【解決手段】本発明のペット用小屋は、側壁、前面壁、後面壁、屋根、底面形成部材及び扉を接合して形成されるペット用小屋であって、前記扉は外扉と内扉とで構成され、前記内扉は、前記外扉の前記ペット用小屋の内側の面の略全面を覆うように構成されるとともに、上部及び下部の２枚の扉で構成されている。【選択図】図１
2020058266.tif 000002
【特許請求の範囲】
【請求項１】
側壁、前面壁、後面壁、屋根、底面形成部材及び扉を接合して形成されるペット用小屋であって、
前記扉は外扉と内扉とで構成され、
前記内扉は、前記外扉の前記ペット用小屋の内側の面の略全面を覆うように構成されるとともに、上部及び下部の２枚の扉で構成されていることを特徴とするペット用小屋。
【請求項２】
請求項１に記載のペット用小屋において、
前記内扉の上部は、前記内扉の下部に接触して、当該内扉の下部の開く方向への回転を規制する規制部を備えることを特徴とするペット用小屋。
【請求項３】
請求項１又は２に記載のペット用小屋において、
前記屋根は、斜面方向に並べて配置された３つ以上の屋根パネルにより構成されており、
前記３つ以上の屋根パネルのそれぞれは、互いに当接する部分に設けられた一対の接合部が前後方向にスライドして噛み合うことで着脱自在に接合されていることを特徴とするペット用小屋。
【請求項４】
請求項１〜３の何れかに記載のペット用小屋において、
前記側壁は、上下方向に並べて配置された複数の側壁パネルにより構成されており、
前記複数の側壁パネルのそれぞれは、互いに当接する部分に設けられた一対の接合部が前後方向にスライドして噛み合うことで着脱自在に接合されていることを特徴とするペット用小屋。
【請求項５】
請求項１〜４の何れかに記載のペット用小屋において、
前記側壁と前記屋根との外側の面は、任意の文字、図形及び色彩を表示可能かつ着脱自在な防水シートで覆われていることを特徴とするペット用小屋。
【発明の詳細な説明】
【技術分野】
【０００１】
本発明は、ペット用小屋に関する。
【背景技術】
【０００２】
従来、ペットを展示用として収納するために設けられるケースが知られている（例えば特許文献１）。
【０００３】
特許文献１のケースは、ケースの扉を開けた際にペットが逃げ出してしまうことを防止することを目的として、観音開きにすることができる一対の扉を一面の開口に設け、該両扉の自由端寄りの上縁および下縁に夫々係止部を形成し、当該係止部を係止することで、一方の扉を閉止状態に保ちつつ、他方の扉を開放可能な状態にすることができるように構成されている。
【先行技術文献】
【特許文献】
【０００４】
【特許文献１】特開２００８−１７８２９９号公報
【発明の概要】
【発明が解決しようとする課題】
【０００５】
特許文献１のようなペット用ケースを、例えばペットの散歩中の買い物など、店内へペットを連れていかれない場所で用事を済ませる際に当該ペットを一時的に待たせておくことのできるペット用の小屋に応用することが考えられる。
【０００６】
この場合、飼い主が迎えに来て扉を開けた際に、外に出ることができるうれしさから、ペットが外に跳び出してしまい、当該跳び出したペットが人や車にぶつかるなどの不都合を生じさせるおそれがあるので、ペット小屋の扉はそのような不都合を防止することができる構造であることが求められる。
【０００７】
また、ペット用小屋に入れられたペットは飼い主から離れることに不安を感じ、ペット小屋の外に出ようと、ペット小屋の扉部分に体当たりを繰り返すことがある。そのためペット小屋の扉は、そのような体当たりの衝撃によって開いてしまわない程度の耐久性を有していることが求められる。
【０００８】
しかしながら、特許文献１のペット用ケースにおいては、単に観音開きのできる左右２つの扉を個別に閉止状態にしたり、開放可能な状態にしたりすることができる機能を有しているにとどまっている。そのため、例えば飼い主がペットを取り出そうと扉を開ける過程において、ペットの跳びだしを防止するためには、扉の開け幅が狭い状態でケース内に手を差し入れてケース内のペットの動きを制止するという手間を当該ペットの飼い主等に生じさせてしまう。
【０００９】
また、特許文献１のペット用ケースの扉は、ペットの体当たりの衝撃に対する耐久性を備えるべきことは考慮されていない。
【００１０】
そのため、飼い主はこのようなペット小屋に安心してペットを入れて待たせておくことができない。
【００１１】
以上の事情に鑑みて、本発明は、飼い主が安心してペットを入れて待たせておくことができる、ペット用小屋を提供することを目的とする。
【課題を解決するための手段】
【００１２】
本発明によるペット用小屋は、
側壁、前面壁、後面壁、屋根、底面形成部材及び扉を接合して形成されるペット用小屋であって、
前記扉は外扉と内扉とで構成され、
前記内扉は、前記外扉の前記ペット用小屋の内側の面の略全面を覆うように構成されるとともに、上部及び下部の２枚の扉で構成されていることを特徴とする。
【００１３】
本発明によるペット用小屋は、扉が外扉と内扉とで構成されており、当該内扉は外扉の前記ペット用小屋の内側の面の略全面を覆うように構成されるとともに、上部及び下部の２枚の扉で構成されている。
【００１４】
これにより、外扉を開けた後に内扉の上部を開けても、内扉の下部がペット用小屋外部へと移動しようとするペットの動作を規制するので、例えば飼い主がペットを取り出そうと扉を開ける過程において、ペットの跳びだしを防止するために、小屋内に手を差し入れて小屋内のペットの動きを制止するなどの手間を当該ペットの飼い主等に生じさせない。
【００１５】
また、扉が１枚のみの構成となる部分がほぼない２重構造となるので、ペットの体当たりの衝撃によって開いてしまわない程度の耐久性を有しているため、飼い主は安心してペットを当該小屋に入れて待たせておくことができる。
【００１６】
このように、本発明によれば、飼い主が安心してペットを入れて待たせておくことができるペット用小屋を提供することができる。
【００１７】
本発明によるペット用小屋において、
前記内扉の上部は、前記内扉の下部に接触して、当該内扉の下部の開く方向への回転を規制する規制部を備えることが好ましい。
【００１８】
本発明によるペット用小屋は、当該内扉の下部の開く方向への回転が、内扉の上部に設けられた規制部により規制される。
【００１９】
これにより、ペットの飼い主がペットをペット用小屋から取り出そうと外扉を開けた際に、内扉の下部が先に開いてしまうことがないので、飼い主がペットを取り出そうと扉を開ける過程において、ペットが当該小屋の外に飛び出す可能性を確実に低減できる。
【００２０】
このように、本発明によれば、ペットの飛び出しを確実に防止できる、ペット用小屋を提供することができる。
【００２１】
本発明のペット用小屋において、
前記屋根は、斜面方向に並べて配置された３つ以上の屋根パネルにより構成されており、
前記３つ以上の屋根パネルのそれぞれは、互いに当接する部分に設けられた一対の接合部が前後方向にスライドして噛み合うことで着脱自在に接合されていることが好ましい。
【００２２】
本発明によるペット用小屋は、屋根が斜面方向に並べて配置された３つ以上の屋根パネルにより構成されているので、ペット小屋の側壁にかかる衝撃を、当該屋根の接合部分に分散させることができるため、衝撃が１か所の接合部に集中してしまうことがない。
【００２３】
また、屋根パネルのそれぞれは、互いに当接する部分に設けられた一対の接合部が前後方向にスライドして噛み合うことで接合されているので、当該ペット用小屋の内部及び外部から衝撃を受けても外れづらい。
【００２４】
これらのことにより、ペット用小屋の外部及び内部からの衝撃に対する十分な耐久性を確保することができる。
【００２５】
このように、本発明によれば、側壁への衝撃に対する耐久性を確保できるペット用小屋を提供することができる。
【００２６】
本発明によるペット用小屋において、
前記側壁は、上下方向に並べて配置された複数の側壁パネルにより構成されており、
前記複数の側壁パネルのそれぞれは、互いに当接する部分に設けられた一対の接合部が前後方向にスライドして噛み合うことで着脱自在に接合されていることが好ましい。
【００２７】
本発明によるペット用小屋は、側壁が上下方向に並べて配置された複数の側壁パネルにより構成されており、当該複数の側壁パネルのそれぞれは、互いに当接する部分に設けられた一対の接合部が前後方向にスライドして噛み合うことで着脱自在に接合されている。
【００２８】
ペットは例えば犬であればチワワ、トイプードルなどの小型犬から、シェパード、グレートデーンなどの大型犬までの多様な犬種が存在し、その体高の差は犬種によって様々である。そして、犬種ごとに異なる高さの側壁を用意した場合、複数の製造ラインを用意して製造する必要があることなどから製造コストが上がり、かつ１種類の高さの側壁は当該高さに対応する犬種にしか使用できないので、経済的でない。
【００２９】
本構成のペット用小屋によれば、側壁パネルを上下方向に追加して接合することで、様々な体高のペットに対応したペット用小屋を形成することができる。
【００３０】
このように、本発明によれば、様々な体高のペットに対応できる、ペット用小屋を提供することができる。
【００３１】
本発明によるペット用小屋において、
前記側壁と前記屋根との外側の面は、任意の文字、図形及び色彩を表示可能かつ着脱自在な防水シートで覆われていることが好ましい。
【００３２】
本発明によるペット用小屋は、側壁と屋根との外側の面が、防水シートで覆われている。
【００３３】
ペット用小屋は、屋外に設置されることが考えられる。そして、本発明によるペット用小屋の側壁と屋根との間には接合部分があるので当該接合部分からの雨漏りを防止することが望まれる。
【００３４】
本構成のペット用小屋によれば、側壁と屋根との外面が防水シートで覆われているので、側壁及び屋根に係る接合部からの雨漏りを防止することができ、雨天などの際にもペットが快適に小屋の内部で過ごすことができる。
【００３５】
また、本構成のペット用小屋の側壁と屋根との外面を覆う防水シートは、任意の色彩の文字、図形を表示可能である。
【００３６】
ペット用小屋がペットの散歩中の買い物など、店内へペットを連れていかれない場所で用事を済ませる際に当該ペットを一時的に待たせておくことのできるペット用の待合室として、当該店の出入り口近くに設置された場合、当該店を訪れる利用客の目に必然的に触れることとなる。そのため、当該小屋の外面に任意の広告を掲示することができれば、広告媒体として有効である。
【００３７】
本構成のペット用小屋によれば、側壁と屋根との外面を覆う防水シートは、任意の色彩の文字、図形で構成する広告を印刷することができるので、高い広告効果が期待できる。
【００３８】
さらに、当該防水シートは着脱可能であるので、広告の期間が終了した際には、当該防水シートをはがし、他の広告を表示した防水シートに張り替えることで、広告媒体として継続的に用いることができるので経済的である。
【００３９】
このように、本発明によれば、雨漏りを防止しつつ、広告媒体としても継続的かつ経済的に使用できる、ペット用小屋を提供することができる。
【図面の簡単な説明】
【００４０】
【図１】本実施形態のペット用小屋の全体構成の一例を示す斜視図。
【図２】本実施形態のペット用小屋の全体構成の一例を示す斜視図。
【図３】本実施形態のペット用小屋の側壁及び屋根の構成の一例を示す斜視図。
【図４】本実施形態のペット用小屋の扉の動きの一例を示す斜視図。
【図５】本実施形態のペット用小屋の使用状態の一例を示す斜視図。
【発明を実施するための形態】
【００４１】
まず、図１及び図２を参照して、本実施形態のペット用小屋の全体構成について説明する。
【００４２】
本実施形態のペット用小屋１は、２つの側壁１１ａ、１１ｂ、前面壁１２、後面壁１３、屋根１４、底面形成部材１５及び扉２１、２２を接合して形成される。
【００４３】
２つの側壁１１ａ、１１ｂ、前面壁１２、後面壁１３、屋根１４、底面形成部材１５及び扉２１、２２は、それぞれ接合部を有するパネル状の部材であり、互いに当接する部分においてはそれぞれ対応する接合部を接合させてペット用小屋１が形成される。
【００４４】
接合部としては、様々な形状を採用しうる。例えば、２つの側壁１１ａ、１１ｂ、前面壁１２、後面壁１３、屋根１４、底面形成部材１５及び扉２１、２２の互いに当接する部分にねじ穴を備え、当該ねじ穴にねじを貫通させて固定することでこれらの部材を接合させる構成としてもよい。
【００４５】
あるいは例えば、屋根パネルの構造として後述するように、隣り合うパネルの互いに当接する部分に設けられた一対の接合部が前後方向にスライドして噛み合うことで着脱自在に接合されてもよい。
【００４６】
前面壁１２は、ペット用小屋１の前面に位置する壁面であり、例えば扉２１、２２をはめ込ことができるような形状に形成されている。
【００４７】
屋根１４は、ペット用小屋１の上面に位置してその全面を覆っている。そして、屋根１４は、斜面方向に並べて配置された３つ以上の屋根パネルにより構成されている。
【００４８】
屋根１４を構成するパネルは、それぞれ第１屋根パネル１４１、第２屋根パネル１４２及び第３屋根パネル１４３であり、図３に示すように隣り合うパネルの互いに当接する部分に設けられた一対の接合部を前後方向にスライドさせて噛み合わせることで着脱自在に接合できるように構成されている。
【００４９】
これにより、ペット用小屋１の側壁１１ａ、１１ｂにかかる衝撃を、当該屋根１４の接合部分に分散させることができるので、衝撃が１か所の接合部に集中してしまうことがない。
【００５０】
また、屋根パネルのそれぞれは、互いに当接する部分に設けられた一対の接合部が前後方向にスライドして噛み合うことで接合されているので、当該ペット用小屋の内部及び外部から衝撃を受けても外れづらい。
【００５１】
これらのことにより、ペット用小屋の外部及び内部からの衝撃に対する十分な耐久性を確保することができる。
【００５２】
なお、第１屋根パネル１４１、第２屋根パネル１４２及び第３屋根パネル１４３は、３つを接合することで前後方向の断面がちょうど半円形となるするように形成されており、どれも同じ形状であるので、１種類の屋根パネルを作ればよく経済的である。
【００５３】
また、屋根１４の強度を保つことができる範囲において、屋根１４は４つ以上に分割可能に構成されていてもよい。あるいは、複数の屋根パネルを接合させた際の前後方向の断面が、正多角形の半分の形状であって、当該半分の形状において同じ長さの３つ以上の辺を有する形状となるように、各屋根パネルが構成されていてもよい。
【００５４】
底面形成部材１５は、ペット用小屋１の底面に位置してその全面を覆っている。
【００５５】
扉は、外扉２１と、内扉２２とで構成される。
【００５６】
外扉２１は、ペット用小屋１の外側に位置する扉である。外扉２１と前面壁１２とは例えば蝶番とねじとを用いて接合されており、外扉２１は当該蝶番の芯棒を回転中心として、ペット用小屋１の外側に開くように構成されている。
【００５７】
また、外扉２１は、外扉２１が閉じた状態において施錠して開かない状態に固定することができる施錠部２３を備えている。
【００５８】
施錠部２３としては、例えばシリンダー錠、南京錠、クレセント錠のほか、暗証番号錠、カード錠、生体認証錠、スマートキーなどの電子錠など種々の構成が採用されうる。
【００５９】
内扉２２は、外扉２１の内側に位置する扉である。内扉２２は、例えば外扉２１とほぼ同じ大きさに形成されており、ペット用小屋１の内側から見て、内扉２２が外扉２１のほぼ全面を覆うように構成されている。
【００６０】
これにより、扉が１枚のみの構成となる部分がほぼない２重構造となるので、ペットの体当たりの衝撃によって開いてしまわない程度の耐久性を有しているため、飼い主は安心してペットを当該ペット用小屋１に入れて待たせておくことができる。
【００６１】
また、内扉２２は、上部内扉２２ａ及び下部内扉２２ｂの２枚の扉で構成されている。
【００６２】
これにより、外扉を開けた後に上部内扉２２ａを開けても、下部内扉２２ｂがペット用小屋１の外部へと移動しようとするペットの動作を規制するので、例えば飼い主がペットを取り出そうと扉２１、２２を開ける過程において、ペットの跳びだしを防止するために、ペット用小屋１内に手を差し入れてペット用小屋１内のペットの動きを制止するなどの手間を当該ペットの飼い主等に生じさせない。
【００６３】
上部内扉２２ａは、内扉２２の例えば上半分にあたる部分である。上部内扉２２ａと前面壁１２とは例えば蝶番とねじとを用いて接合されており、上部内扉２２ａは当該蝶番の芯棒を回転中心として、ペット用小屋１の外側に開くように構成されている。
【００６４】
下部内扉２２ｂは、内扉２２の例えば下半分にあたる部分である。下部内扉２２ｂと前面壁１２とは例えば蝶番とねじとを用いて接合されており、下部内扉２２ｂは当該蝶番の芯棒を回転中心として、ペット用小屋１の外側に開くように構成されている。
【００６５】
また、下部内扉２２ｂは例えばラッチを備えており、下部内扉２２ｂが閉じた状態において前面壁１２が備えるラッチ受けに当該ラッチが嵌合し、下部内扉２２ｂが閉じた状態に固定することができる。そして、下部内扉２２ｂを開く際には、例えば下部内扉２２ｂに設けられたつまみをひねる操作あるいはボタンを押す又は引く操作などにより当該ラッチが当該ラッチ受けに嵌合している状態が解除され、下部内扉２２ｂを開くことができるように構成されている。
【００６６】
ペットをペット用小屋１に格納する際には、ペットの飼い主は外扉２１を開け、その状態で上部内扉２２ａを開き、さらに外扉２１及び上部内扉２２ａが開いた状態で下部内扉２２ｂを開いた後に、ペットをペット用小屋１内に入れる。そして、ペットの飼い主が下部内扉２２ｂ、上部内扉２２ａ、外扉２１の順で扉を閉じることにより、ペットがペット用小屋１内に格納される。
【００６７】
そして、ペットをペット用小屋１から取り出す際には、ペットの飼い主は外扉２１を開け、その状態で上部内扉２２ａを開き、さらに外扉２１及び上部内扉２２ａが開いた状態で下部内扉２２ｂを開いた後に、ペットをペット用小屋１から取り出す。そして、ペットの飼い主が下部内扉２２ｂ、上部内扉２２ａ及び外扉２１を閉じ、施錠部２３により外扉２１を施錠することにより、ペット用小屋１内の使用が終了する。
【００６８】
なお、側壁１１ａ、１１ｂは、例えば図３に示すように、上下方向に並べて配置された複数の側壁パネルにより構成されており、複数の側壁パネルのそれぞれは、互いに当接する部分に設けられた一対の接合部が前後方向にスライドして噛み合うことで着脱自在に接合されている。
【００６９】
これにより、側壁パネルを上下方向に追加して接合することで、様々な体高のペットに対応したペット用小屋１を形成することができる。
【００７０】
すなわち例えば、犬であればチワワ、トイプードルなどの小型犬用にペット用小屋１を形成する場合には、一方の側壁として一方側壁第１パネル１１１及び一方側壁第２パネル１１２を、他方の側壁として他方側壁第１パネル１１３及び他方側壁第２パネル１１４を、それぞれ用いてペット用小屋１を形成する。あるいはシェパード、グレートデーンなどの大型犬用にペット用小屋１を形成する場合には、一方の側壁として図示しない一方側壁第３パネルを、他方の側壁として他方側壁第３パネルを、それぞれ追加して用いてペット用小屋１を形成する。なおこの場合、前面壁１２及び後面壁１３にも下部にパネルを追加するか、より縦長に形成された前面壁１２及び後面壁１３を用いる。
【００７１】
また、上部内扉２２ａは、下部内扉２２ｂに接触して、下部内扉２２ｂの開く方向への回転を規制する規制部２２１を備えている。
【００７２】
これにより、ペットの飼い主がペットをペット用小屋１から取り出そうと外扉２１を開けた際に、下部内扉２２ｂが先に開いてしまうことがないので、飼い主がペットを取り出そうと扉２１、２２を開ける過程において、ペットが当該小屋の外に飛び出す可能性を確実に低減できる。
【００７３】
規制部２２１は、例えば下部内扉２２ｂの外側の一部に引っかかるような態様で上部内扉２２ａに設けられている。そのため、上部内扉２２ａが閉じた状態で下部内扉２２ｂを開けようとしても、下部内扉２２ｂの一部が下部内扉抑え２２１に引っかかるので開けることができない。
【００７４】
あるいは規制部２２１は、例えば下部内扉２２ｂが備えるラッチが当該ラッチ受けに嵌合している状態を解除するためのつまみ又はボタンを覆うように接触して設けられていてもよい。このようにすることで、上部内扉２２ａが閉じた状態では、当該つまみ又はボタンを操作することができず、下部内扉２２ｂが備えるラッチが当該ラッチ受けに嵌合している状態を解除することができないので、下部内扉２２ｂを開けることができない。
【００７５】
そして、図４に示すように、上部内扉２２ａが開いた状態では、下部内扉２２ｂの一部が下部内扉抑え２２１に引っかからない。そのため、上部内扉２２ａが開いた状態においては、図５に示すように、下部内扉２２ｂを開けることができる。
【００７６】
さらに、側壁１１ａ、１１ｂと屋根１４との外側の面は、図５に示すように、任意の文字、図形及び色彩を表示可能かつ着脱自在な防水シート３０で覆われている。
【００７７】
これにより、側壁１１ａ、１１ｂと屋根１４との外面が防水シート３０で覆われているので、側壁１１ａ、１１ｂ及び屋根１４に係る接合部からの雨漏りを防止することができ、雨天などの際にもペットが快適に小屋の内部で過ごすことができる。
【００７８】
防水シート３０の素材としては、ビニール製フィルム、ゴムなど種々のものを採用しうる。
【００７９】
また、防水シート３０は、任意の色彩の文字、図形で構成する広告を表示することができるので、高い広告効果が期待できる。
【００８０】
さらに、当該防水シート３０は着脱可能であるので、広告の期間が終了した際には、当該防水シート３０をはがし、他の広告を表示した防水シート３０に張り替えることで、広告媒体として継続的に用いることができるので経済的である。
【００８１】
以上述べてきたように、本発明によれば、飼い主が安心してペットを入れて待たせておくことができる、ペット用小屋を提供することができる。
【００８２】
以上、本発明の実施形態について図面を用いて説明したが、本発明はこれに限定されない。本発明の趣旨を逸脱しない範囲で、種々の変更が可能である。
【００８３】
例えばペット用小屋１は、側壁１１ａ、１１ｂ、前面壁１２、後面壁１３、屋根１４、底面形成部材１５及び扉２１、２２を着脱自在に接合して形成されるように構成されていてもよい。
【００８４】
あるいは例えば、上部内扉２２ａは例えばボールキャッチを備えており、下部内扉２２ｂが閉じた状態において前面壁１２が備えるボールキャッチ受座に当該ボールキャッチのボール部分が嵌合し、上部内扉２２ａが閉じた状態に固定することができる。そして、上部内扉２２ａを開く際には、例えば上部内扉２２ａを外方向に開く操作などにより当該ボールキャッチのボール部分がボールキャッチ受座から外れて、上部内扉２２ａを開くことができるように構成されている。
【００８５】
あるいは例えば、上部内扉２２ａは例えばラッチを備えており、上部内扉２２ａが閉じた状態において前面壁１２が備えるラッチ受けに当該ラッチが嵌合し、上部内扉２２ａが閉じた状態に固定することができるように構成されていてもよい。この場合、上部内扉２２ａを開く際には、例えば上部内扉２２ａに設けられたつまみをひねる操作などにより当該ラッチが当該ラッチ受けに嵌合している状態が解除され、上部内扉２２ａを開くことができるように構成されてもよい。
【００８６】
あるいは例えば、外扉２１、内扉２２の少なくとも一部に透過性の素材を用い、ペット用小屋１の内側から外側及び外側から内側を見ることができるように構成されていてもよい。
【００８７】
あるいは例えば、扉２１、２２は、前面壁１２以外の壁面に設けられてもよいし、複数設けられてもよい。
【００８８】
あるいは例えば、ペット用小屋１内のペットがより快適に過ごすことができるように、ペット用小屋１内部に空調設備を備えることとしてもよいし、例えばペット用小屋１の断熱効果を高めるために、側壁１１ａ、１１ｂ、前面壁１２、後面壁１３、屋根１４及び扉２１、２２として中空のパネルの中空部分に断熱材を配置したものを用いることとしてもよい。
【００８９】
あるいは例えば、防水シート３０として、紫外線の透過量を低減させる機能を有する素材を用いてもよい。
【符号の説明】
【００９０】
１…ペット用小屋、１１ａ，１１ｂ…側壁、１２…前面壁、１３…後面壁、１４…屋根、１５…底面形成部材、２１…外扉、２２…内扉、２２ａ…上部内扉、２２ｂ…下部内扉、２３…施錠部、３０…防水シート、１１１…一方側壁第１パネル、１１２…一方側壁第２パネル、１１３…他方側壁第１パネル、１１４…他方側壁第２パネル、１４１…第１屋根パネル、１４２…第２屋根パネル、１４３…第３屋根パネル、２２１…規制部。
【図１】
2020058266.tif 000003
【図２】
2020058266.tif 000004
【図３】
2020058266.tif 000005
【図４】
2020058266.tif 000006
【図５】
2020058266.tif 000007